【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
支持体上に感光層を有する電子写真感光体において、該電子写真感光体が３８０〜５００ｎｍの波長を有する半導体レーザー光を照射され、かつ該感光層が下記式（１）で示されるアゾ顔料を含有することを特徴とする電子写真感光体。
【化１】
2000105478.tif 000001
（式中、Ａｒは直接あるいは結合基を介して結合していてもよい、置換もしくは無置換の芳香族炭化水素環基または複素環基を表し、Ｃｐは下記式（２）、（３）、（４）または（５）で示されるカプラー残基を表し、ｎは１〜３の整数を表す。ただし、−Ｎ＝Ｎ−Ｃｐが同一ベンゼン環に複数個結合することはない。）
【化２】
2000105478.tif 000002
（式中、Ｘはベンゼン環と縮合して多環芳香環または複素環を形成するのに必要な残基を表し、Ｒ1及びＲ2は水素原子、置換もしくは無置換のアルキル基、置換もしくは無置換のアリール基または置換もしくは無置換の複素環基を表す。また、Ｒ1とＲ2は式中の窒素原子を介して環状アミノ基を形成してもよい。Ｚ1は酸素原子または硫黄原子を表し、ｍ1は０または１を表す。）
【化３】
2000105478.tif 000003
（式中、Ｙは置換もしくは無置換の２価の芳香族炭化水素環基または置換もしくは無置換の２価の含窒素複素環基を表す。）
【化４】
2000105478.tif 000004
（式中、Ｒ3は水素原子、ハロゲン原子、シアノ基、カルボキシル基、アルコキシカルボニル基、カルバモイル基またはニトロ基を表し、Ｒ4は置換もしくは無置換のアルキル基または置換もしくは無置換のアリール基を表し、Ｒ5はハロゲン原子、置換もしくは無置換のアルキル基、置換もしくは無置換のアルコキシ基、シアノ基またはニトロ基を表し、ｌは０〜２の整数を表し、ｌ＝２の時、Ｒ5は相異なる基であってもよい。）
【化５】
2000105478.tif 000005
（式中、Ｒ6及びＲ7は水素原子、置換もしくは無置換のアルキル基、置換もしくは無置換のアリール基または置換もしくは無置換の複素環基を表す。また、Ｒ6とＲ7は式中の窒素原子を介して環状アミノ基を形成してもよい。Ｚ2は酸素原子または硫黄原子を表し、ｍ2は０または１を表す。）
【請求項２】
Ｃｐが式（２）で示されるカプラー残基である請求項１に記載の電子写真感光体。
【請求項３】
Ｃｐが式（３）で示されるカプラー残基である請求項１に記載の電子写真感光体。
【請求項４】
Ｃｐが式（４）で示されるカプラー残基である請求項１に記載の電子写真感光体。
【請求項５】
Ｃｐが式（５）で示されるカプラー残基である請求項１に記載の電子写真感光体。
【請求項６】
アゾ顔料が下記式で示される請求項１または２に記載の電子写真感光体。
【化６】
2000105478.tif 000006
【請求項７】
アゾ顔料が下記式で示される請求項１または２に記載の電子写真感光体。
【化７】
2000105478.tif 000007
【請求項８】
アゾ顔料が下記式で示される請求項１または２に記載の電子写真感光体。
【化８】
2000105478.tif 000008
【請求項９】
アゾ顔料が下記式で示される請求項１または２に記載の電子写真感光体。
【化９】
2000105478.tif 000009
【請求項１０】
アゾ顔料が下記式で示される請求項１または２に記載の電子写真感光体。
【化１０】
2000105478.tif 000010
【請求項１１】
アゾ顔料が下記式で示される請求項１または２に記載の電子写真感光体。
【化１１】
2000105478.tif 000011
【請求項１２】
アゾ顔料が下記式で示される請求項１または３に記載の電子写真感光体。
【化１２】
2000105478.tif 000012
【請求項１３】
アゾ顔料が下記式で示される請求項１または３に記載の電子写真感光体。
【化１３】
2000105478.tif 000013
【請求項１４】
アゾ顔料が下記式で示される請求項１または４に記載の電子写真感光体。
【化１４】
2000105478.tif 000014
【請求項１５】
電子写真感光体、及び帯電手段、現像手段及びクリーニング手段から選択される少なくとも一つの手段を一体に支持し、電子写真装置本体に着脱自在であるプロセスカートリッジにおいて、該電子写真感光体が、請求項１〜１４の何れかに記載の電子写真感光体であることを特徴とするプロセスカートリッジ。
【請求項１６】
電子写真感光体、帯電手段、露光手段、現像手段及び転写手段を有する電子写真装置において、該露光手段が露光光源として３８０〜５００ｎｍの発振波長を有する半導体レーザーを有し、該電子写真感光体が、請求項１〜１４の何れかに記載の電子写真感光体であることを特徴とする電子写真装置。
【請求項１７】
該半導体レーザーの発振波長が４００〜４５０ｎｍである請求項１６に記載の電子写真装置。
【手続補正２】
【補正対象書類名】明細書
【補正対象項目名】００１０
【補正方法】変更
【補正の内容】
【００１０】
【化１５】
2000105478.tif 000015
（式中、Ａｒは直接あるいは結合基を介して結合していてもよい、置換もしくは無置換の芳香族炭化水素環基または複素環基を表し、Ｃｐは下記式（２）、（３）、（４）または（５）で示されるカプラー残基を表し、ｎは１〜３の整数を表す。ただし、−Ｎ＝Ｎ−Ｃｐが同一ベンゼン環に複数個結合することはない。）
【手続補正３】
【補正対象書類名】明細書
【補正対象項目名】００１１
【補正方法】変更
【補正の内容】
【００１１】
【化１６】
2000105478.tif 000016
（式中、Ｘはベンゼン環と縮合して多環芳香環または複素環を形成するのに必要な残基を表し、Ｒ1及びＲ2は水素原子、置換もしくは無置換のアルキル基、置換もしくは無置換のアリール基または置換もしくは無置換の複素環基を表す。また、Ｒ1とＲ2は式中の窒素原子を介して環状アミノ基を形成してもよい。Ｚ1は酸素原子または硫黄原子を表し、ｍ1は０または１を表す。）
【手続補正４】
【補正対象書類名】明細書
【補正対象項目名】００１２
【補正方法】変更
【補正の内容】
【００１２】
【化１７】
2000105478.tif 000017
（式中、Ｙは置換もしくは無置換の２価の芳香族炭化水素環基または置換もしくは無置換の２価の含窒素複素環基を表す。）
【手続補正５】
【補正対象書類名】明細書
【補正対象項目名】００１３
【補正方法】変更
【補正の内容】
【００１３】
【化１８】
2000105478.tif 000018
（式中、Ｒ3は水素原子、ハロゲン原子、シアノ基、カルボキシル基、アルコキシカルボニル基、カルバモイル基またはニトロ基を表し、Ｒ4は置換もしくは無置換のアルキル基または置換もしくは無置換のアリール基を表し、Ｒ5はハロゲン原子、置換もしくは無置換のアルキル基、置換もしくは無置換のアルコキシ基、シアノ基またはニトロ基を表し、ｌは０〜２の整数を表し、ｌ＝２の時、Ｒ5は相異なる基であってもよい。）
【手続補正６】
【補正対象書類名】明細書
【補正対象項目名】００１４
【補正方法】変更
【補正の内容】
【００１４】
【化１９】
2000105478.tif 000019
（式中、Ｒ6及びＲ7は水素原子、置換もしくは無置換のアルキル基、置換もしくは無置換のアリール基または置換もしくは無置換の複素環基を表す。また、Ｒ6とＲ7は式中の窒素原子を介して環状アミノ基を形成してもよい。Ｚ2は酸素原子または硫黄原子を表し、ｍ2は０または１を表す。）
【手続補正７】
【補正対象書類名】明細書
【補正対象項目名】００８９
【補正方法】変更
【補正の内容】
【００８９】
【化２０】
2000105478.tif 000020
とポリカーボネートＺ樹脂（数平均分子量２００００）５ｇをモノクロロベンゼン４０ｇに溶解した溶液を電荷発生層上にマイヤーバーで塗布し、乾燥することによって、膜厚が２５μｍの電荷輸送層を形成した。
【手続補正８】
【補正対象書類名】明細書
【補正対象項目名】００９９
【補正方法】変更
【補正の内容】
【００９９】
【化２１】
2000105478.tif 000021
【手続補正９】
【補正対象書類名】明細書
【補正対象項目名】０１０２
【補正方法】変更
【補正の内容】
【０１０２】
【化２２】
2000105478.tif 000022
【手続補正１０】
【補正対象書類名】明細書
【補正対象項目名】０１０９
【補正方法】変更
【補正の内容】
【０１０９】
【化２３】
2000105478.tif 000023